(57)【特許請求の範囲】
【請求項１】
相対的に回転可能に連結された第１ユニットと第２ユニットから成り、前記第１ユニットに撮影レンズを備え、前記第２ユニットに撮影画像と所定の情報を表示する表示部を備えた対面撮影可能なカメラにおいて、
前記第１ユニットと前記第２ユニットとの回転角を検出する回転検出手段と、
前記回転角検出値が所定値を超えると、前記撮影レンズで撮影した撮影画像の前記表示部における表示領域が、前記回転角検出値が所定値を超えていない場合の表示領域よりも小さくなるように、前記撮影画像の表示倍率を所定値以下に低減して前記撮影画像を縮小表示する制御手段とを備えることを特徴とする対面撮影可能なカメラ。
【請求項２】
請求項１に記載の対面撮影可能なカメラにおいて、
前記制御手段は、前記回転角検出値が所定値を超えると撮影画像の天地を反転することを特徴とする対面撮影可能なカメラ。
【請求項３】
請求項１または２に記載の対面撮影可能なカメラにおいて、
前記制御手段は、前記表示部に前記所定の情報を表示する場合には表示倍率および撮影倍率の低減と画面の天地の反転を行わないことを特徴とする対面撮影可能なカメラ。
【請求項４】
請求項１〜３のいずれかの項に記載の対面撮影可能なカメラにおいて、
前記制御手段は、前記回転角検出値が所定値を超えると閃光撮影を禁止することを特徴とする対面撮影可能なカメラ。
【請求項５】
請求項１〜４のいずれかの項に記載の対面撮影可能なカメラにおいて、
前記制御手段は、前記回転角検出値が所定値を超えると前記撮影レンズの焦点調節範囲を所定範囲に制限することを特徴とする対面撮影可能なカメラ。
【請求項６】
請求項１〜５のいずれかの項に記載の対面撮影可能なカメラにおいて、
前記制御手段は、前記回転角検出値が所定値を超えるとホワイトバランスを所定値に調整することを特徴とする対面撮影可能なカメラ。
【発明の詳細な説明】
【０００１】
【発明の属する技術分野】
本発明は、撮影者自身を撮影することが可能なカメラに関する。
【０００２】
【従来の技術とその問題点】
カメラ本体を、撮影レンズを含むレンズユニットとＬＣＤモニターを含むモニターユニットとに分割し、両ユニットを相対的に回転可能に連結したデジタルカメラが知られている。この種のカメラでは、レンズユニットを撮影者自身の方へ回転させて撮影者自身を撮影する（この明細書では対面撮影という）ことが可能である。
【０００３】
ところで、対面撮影時は撮影者がカメラを保持して撮影する場合が多く、撮影距離はおよそ１ｍ以内である。そのため、従来のカメラで対面撮影を行うと、撮影者自身の像がＬＣＤモニターに大きく映し出され、その都度、撮影倍率を調節しなければならない。
【０００４】
本発明の目的は、対面撮影時の操作性を向上することにある。
【０００５】
【課題を解決するための手段】
（１）  請求項１の発明は、相対的に回転可能に連結された第１ユニットと第２ユニットから成り、第１ユニットに撮影レンズを備え、第２ユニットに撮影画像と所定の情報を表示する表示部を備えた対面撮影可能なカメラに適用される。
そして、第１ユニットと第２ユニットとの回転角を検出する回転検出手段と、回転角検出値が所定値を超えると、撮影レンズで撮影した撮影画像の表示部における表示領域が、回転角検出値が所定値を超えていない場合の表示領域よりも小さくなるように、撮影画像の表示倍率を所定値以下に低減して撮影画像を縮小表示する制御手段とを備える。
（２）  請求項２の対面撮影可能なカメラは、制御手段によって、回転角検出値が所定値を超えると撮影画像の天地を反転するようにしたものである。
（３）  請求項３の対面撮影可能なカメラには、制御手段によって、表示部に所定の情報を表示する場合には表示倍率および撮影倍率の低減と画面の天地の反転を行わないようにしたものである。
（４）  請求項４の対面撮影可能なカメラは、制御手段によって、回転角検出値が所定値を超えると閃光撮影を禁止するようにしたものである。
（５）  請求項５の対面撮影可能なカメラは、制御手段によって、回転角検出値が所定値を超えると撮影レンズの焦点調節範囲を所定範囲に制限するようにしたものである。
（６）  請求項６の対面撮影可能なカメラは、制御手段によって、回転角検出値が所定値を超えるとホワイトバランスを所定値に調整するようにしたものである。
【０００６】
【発明の実施の形態】
図１は一実施の形態のカメラの収納時および携帯時の外観を示し、（ａ）が上面図、（ｂ）が背面図である。また、図２は一実施の形態のカメラの通常撮影時の外観を示し、（ａ）が正面図、（ｂ）が上面図、（ｃ）が背面図である。なお、図１および図２は三角法に準拠する。さらに、図３は一実施の形態のカメラの対面撮影時の外観を示す。
一実施の形態のカメラ１は、撮影レンズ２を含むレンズユニット１ａとＬＣＤモニター３を含むモニターユニット１ｂとに分割され、両ユニット１ａ、１ｂが相対的に回転可能に連結されている。
【０００７】
収納時または携帯時には、図１に示すように、レンズユニット１ａとモニターユニット１ｂとがフラットになるようにレンズユニット１ａを回転する。また、通常撮影時には、図２に示すように、撮影レンズ２が被写体方向を向くようにレンズユニット１ａを回転する。さらに、対面撮影時には、図３に示すように、撮影レンズ２が撮影者自身を向くようにレンズユニット１ａを回転する。なお、通常撮影時でも対面撮影時でも撮影者はＬＣＤモニター３を見ながら撮影するので、モニターユニット１ｂは常にＬＣＤモニター３が撮影者の方向を向くように保持される。
【０００８】
レンズユニット１ａは、撮影レンズ２の他に電子閃光装置４、ファインダー窓５、赤目軽減・セルフタイマー表示ランプ６、ファインダー接眼窓７などを備えている。一方、モニターユニット１ｂは、ＬＣＤモニター３の他にメインスイッチ８、レリーズボタン９、表示パネル１０、閃光撮影モードボタン１１、ＡＦモードボタン１２、画質モードボタン１３、ズームボタン１４、モニターボタン１５、メニューボタン１６などを備えている。
【０００９】
図４は一実施の形態の構成を示す図である。
マイクロコンピューター２０はメモリやＡＤコンバーターなどの周辺部品を備え、カメラの各種演算と制御を行う。マイクロコンピューター２０にはメインスイッチ８、半押しスイッチ２１、全押しスイッチ２２、ズームアップスイッチ２３、ズームダウンスイッチ２４、回転スイッチ２５、測距装置２６、測光装置２７、レンズ駆動装置２８、電子閃光装置４、ＬＣＤモニタードライバー２９、表示パネルドライバー３０などが接続される。
【００１０】
半押しスイッチ２１と全押しスイッチ２２はそれぞれ、レリーズボタン９の半押し時と全押し時にオンする。ズームアップスイッチ２３とズームダウンスイッチ２４はそれぞれ、ズームボタン１４のアップ操作とダウン操作に連動してオンする。
【００１１】
回転スイッチ２５は、対面撮影を行うために撮影レンズ２が撮影者自身の方を向くようにレンズユニット１ａを回転させたときにオンする。なお、図３に示すように、レンズユニット１ａとモニターユニット１ｂの相対回転角度が−９０度（撮影レンズ２を撮影者自身の方に向けた場合の回転角度を負とする）の場合に回転スイッチ２５がオンするようにしてもよいし、あるいは、相対回転角度が所定範囲（−９０±α度）に入った場合に回転スイッチ２５をオンするようにしてもよい。さらにまた、相対回転角度が所定値（−β度）を超えたら回転スイッチ２５をオンするようにしてもよい。
【００１２】
測距装置２６は被写体までの撮影距離を測定し、測光装置２７は被写体輝度を測定する。レンズ駆動装置２８は撮影レンズ２のズーミング駆動およびフォーカシング駆動と、光学ファインダーのズーミング駆動を行う。また、ＬＣＤモニタードライバー２９はＬＣＤモニター３を駆動し、表示パネルドライバー３０は表示パネル１０を駆動する。
【００１３】
図５は一実施の形態の対面撮影制御を示すフローチャートである。
撮影レンズ２が撮影者の方を向くようにレンズユニット１ａが回転されると回転スイッチ２５がオンし、マイクロコンピューター２０は対面撮影と判断して図５に示す対面撮影制御を開始する。ステップ１において、対面撮影時に閃光撮影を行うと撮影者の直前で閃光が発せられて眩しいので、対面撮影時は電子閃光装置４による閃光撮影を禁止する。なお、対面撮影時に閃光発光量を低い値に制限して閃光撮影を許可するようにしてもよい。
【００１４】
ステップ２で、撮影レンズ２で撮影した画像を表示するのか、あるいは図６に示すようなメニュー画面などの文字や記号の画面を表示するのかを判断する。メニュー画面などを表示する場合には、基本的に画面の天地を反転したり表示倍率や撮影倍率を変える必要はないので、対面撮影時の処理を行わずにステップ１へ戻る。
【００１５】
対面撮影で撮影者自身の画像をＬＣＤモニター３に表示する場合は、ステップ３〜６の対面撮影処理を行う。対面撮影時はレンズユニット１ａを通常撮影時に対しておよそ１８０度回転しているので、撮影レンズ２で撮影した画像は天地が逆になる。そこで、ステップ３で撮影した画像の天地を反転する。
【００１６】
また、対面撮影では撮影者自身がカメラ１を保持して撮影するので、撮影距離はせいぜい１ｍ以下である。そのような至近距離で撮影した画像をそのままＬＣＤモニター３に表示すると、図７に示すように撮影者自身の顔が大きく写り過ぎて違和感を与える。そこで、ステップ４で表示倍率が所定値以下になるように画像処理し、図８に示すように画像を縮小する。
【００１７】
対面撮影時に画像の表示倍率を低減する代わりに、撮影レンズ２を駆動制御して広角側にズーミングし、撮影倍率を低減してもよい。対面撮影時に撮影倍率を低減した表示例を図９に示す。この場合、例えば、対面撮影の撮影距離（およそ１ｍ）において撮影者自身のポートレートを撮影する程度の倍率まで低減すればよい。
【００１８】
一方、対面撮影は、上述したように撮影距離が撮影者の腕の長さ程度であるから、この撮影距離に対応する範囲に撮影レンズ２の焦点調節範囲を制限することによって、自動焦点調節時の撮影レンズ２の無駄な合焦動作を避けることができ、短時間で正確な焦点調節が可能になる。そこで、ステップ５で撮影レンズ２の焦点調節範囲を所定の範囲に制限し、レンズ駆動装置２８により撮影レンズ２の焦点調節を行う。
【００１９】
さらに、対面撮影では撮影者自身のポートレートの撮影を行うのであるから、ステップ６で、顔の肌色が自然な色に近くなるようにホワイトバランスを調整する。
【００２０】
以上の一実施の形態の構成において、レンズユニット１ａが第１ユニットを、モニターユニット１ｂが第２ユニットを、撮影レンズ２が撮影レンズを、ＬＣＤモニター３が表示部を、回転スイッチ２５が回転検出手段を、マイクロコンピューター２０が制御手段をそれぞれ構成する。
【００２１】
【発明の効果】
（１）  請求項１の発明によれば、第１ユニットと第２ユニットとの回転角が所定値を超えると、撮影レンズで撮影した撮影画像の表示部における表示領域が、回転角検出値が所定値を超えていない場合の表示領域よりも小さくなるように、撮影画像の表示倍率を所定値以下に低減して撮影画像を縮小表示するようにしたので、対面撮影時にいきなり撮影者の顔が表示部に大きく映し出されて違和感を与えるようなことがなく、対面撮影時には撮影者の顔が自動的に適当な大きさで表示され、対面撮影時の操作性を向上させることができる。
（２）  請求項２の発明によれば、第１ユニットと第２ユニットとの回転角が所定値を超えると、撮影画像の天地を反転するようにしたので、対面撮影時に撮影者の像が倒立像で映し出されるのを避けることができる。
（３）  請求項３の発明によれば、表示部に所定の情報を表示する場合には表示倍率および撮影倍率の低減と画面の天地の反転を行わないようにしたので、メニュー画面などの文字や記号の情報を表示する場合に、画像の縮小と反転が行われて画像が見づらくなるのを防止できる。
（４）  請求項４の発明によれば、回転角検出値が所定値を超えると閃光撮影を禁止するようにしたので、対面撮影時に撮影者の直前で閃光発光が行われるのを防止できる。
（５）  請求項５の発明によれば、回転角検出値が所定値を超えると撮影レンズの焦点調節範囲を所定範囲に制限するようにしたので、対面撮影時に撮影レンズの無駄な焦点調節動作を防止することができ、短時間で正確な焦点調節が可能になる。
（６）  請求項６の発明によれば、回転角検出値が所定値を超えるとホワイトバランスを所定値に調整するようにしたので、対面撮影時に撮影者のポートレートを自然な肌色で撮影することができる。
【図面の簡単な説明】
【図１】  一実施の形態のカメラの収納時および携帯時の外観を示す図である。
【図２】  一実施の形態のカメラの通常撮影時の外観を示す図である。
【図３】  一実施の形態のカメラの対面撮影時の外観を示す図である。
【図４】  一実施の形態の構成を示す図である。
【図５】  一実施の形態の対面撮影制御を示すフローチャートである。
【図６】  メニュー画面の表示例を示す図である。
【図７】  対面撮影時に表示倍率または撮影倍率を調整せずに撮影画像を表示した例を示す図である。
【図８】  対面撮影時に表示倍率を下げて撮影画像を表示した例を示す図である。
【図９】  対面撮影時に撮影倍率を下げて撮影画像を表示した例を示す図である。
【符号の説明】
１  カメラ
１ａ  レンズユニット
１ｂ  モニターユニット
２  撮影レンズ
３  ＬＣＤモニター
４  電子閃光装置
２５  回転スイッチ
２６  測距装置
２７  測光装置
２８  レンズ駆動装置
２９  ＬＣＤモニタードライバー
【図１】
0004296612.tif 000002
【図２】
0004296612.tif 000003
【図３】
0004296612.tif 000004
【図４】
0004296612.tif 000005
【図５】
0004296612.tif 000006
【図６】
0004296612.tif 000007
【図７】
0004296612.tif 000008
【図８】
0004296612.tif 000009
【図９】
0004296612.tif 000010